(57)【要約】【課題】換気機能及び防音機能に優れたドアを提供する。【解決手段】ドア１は、ドア枠１０の一方の側に正面側面材２を取り付け、他方の側に背面側面材３を取り付けた中空構造のものである。面材２に設けられた通気口５０〜５７は補桟３１〜３９間に位置し、面材３に設けられた通気口５８，５９は補桟４１〜４３間に位置する。補桟３１〜３９間、４１〜４３間は上下幅が小さい幅小部であり、該幅小部以外の中空部４，５は上下幅が大きい幅大部である。中空部４，５にバッフル６１〜６３を設けてもよい。【選択図】図１
2014025336.tif 000002
【特許請求の範囲】
【請求項１】
ドア内部に中空部が設けられ、ドアの一方の面と他方の面にそれぞれ該中空部に連通した通気口が設けられており、
一方の第１の通気口はドアの一側に配置され、他方の第２の通気口はドアの他側に配置されているドアにおいて、
該第１の通気口近傍の該中空部が、第１及び第２の通気口同士を結ぶ方向と交差方向の幅が小さい第１の幅小部となっており、
第２の通気口近傍の該中空部が、該交差方向の幅が小さい第２の幅小部となっており、
該第１の幅小部と第２の幅小部との間が、該第１及び第２の幅小部よりも該交差方向の幅が大きい幅大部となっていることを特徴とするドア。
【請求項２】
請求項１において、通気口はドアの一辺に沿って延在しており、前記幅小部の該一辺方向の幅が前記幅大部の該一辺方向の幅よりも小さくなっていることを特徴とするドア。
【請求項３】
請求項１又は２において、前記ドアは、前記中空部を囲むドア枠の両側にそれぞれ面材を設けたものであり、
該面材にそれぞれ前記通気口が設けられており、
該ドア枠は、ドアの周縁に沿う縦桟及び横桟と、該縦桟又は横桟に沿う複数の補桟とを有しており、
補桟同士が間隔をあけて配置され、該補桟同士の間に前記幅小部が形成されていることを特徴とするドア。
【請求項４】
請求項３において、前記幅小部は、前記通気口よりも前記中空部から離れる方向に凹陥しており、これにより消音用空洞部が形成されていることを特徴とするドア。
【請求項５】
請求項３又は４において、該補桟の角縁が丸みをおびているか、又は面取り状にカットされた形状であることを特徴とするドア。
【請求項６】
請求項３ないし５のいずれか１項において、前記面材のうち前記通気口近傍部分が、前記補桟と結合されていることを特徴とするドア。
【請求項７】
請求項３ないし６のいずれか１項において、前記中空部内のうち、第１の通気口と第２の通気口との間の位置に、該中空部の前記交差方向の幅を小さくするバッフルが設けられていることを特徴とするドア。
【請求項８】
請求項７において、複数の前記バッフルが前記交差方向に間隔をあけて配設されていることを特徴とするドア。
【請求項９】
請求項８において、前記バッフルは、Ｖ字形であるか、又は放射方向に延在した３葉以上の板材を有したスター形状であることを特徴とするドア。
【請求項１０】
請求項７ないし９のいずれか１項において、前記バッフルとして略Ｘ字形状のバッフルとＶ字形状のバッフルとが少なくとも１つの中空部内に設けられていることを特徴とするドア。
【請求項１１】
請求項７ないし９のいずれか１項において、バッフルの角縁が丸みをおびているか、又は面取り状にカットされた形状であることを特徴とするドア。
【発明の詳細な説明】
【技術分野】
【０００１】
本発明は、トイレルームや居室などの出入口に設けられるドアに係り、特に換気用の中空部及び通気口を備えたドアに関する。
【背景技術】
【０００２】
ドア内部を中空部とし、ドアの正面側及び背面側の面材にそれぞれ通気口を設けて換気機能をもたせたドアが特許文献１，２に記載されている。この特許文献１，２にあっては、正面側及び背面側の通気口のうちの一方をドア上部に設け、他方をドア下部に設けて中空部を上下に延在させている。また、中空部内に吸音材を内張りして防音機能ももたせている。特許文献１の図３には、通気口の一方をドアの一方の側辺に沿って設け、他方の通気口を他方の側辺に沿って設けることが記載されている。
【先行技術文献】
【特許文献】
【０００３】
【特許文献１】特開平９−２３５９６０
【特許文献２】特開２０１１−１０２４６７
【発明の概要】
【発明が解決しようとする課題】
【０００４】
上記特許文献１，２のように、中空部内に吸音材を内張りすると、中空部のドア厚さ方向の寸法が小さくなり、通気量が減少し、換気機能が低下する。
【０００５】
本発明は、換気機能及び防音機能に優れたドアを提供することを目的とする。
【０００６】
また、特許文献１，２にあっては、ドア内部が中空部となっており、通気口近傍では面材がドア枠で裏打ちされていないため、通気口近傍部分における面材の強度、剛性が不足し、面材が損傷し易くなったり、振動し易くなる等の短所があった。
【０００７】
本発明は、その一態様において、通気口近傍部分における面材の強度及び剛性が高いドアを提供することを目的とする。
【課題を解決するための手段】
【０００８】
本発明のドアは、ドア内部に中空部が設けられ、ドアの一方の面と他方の面にそれぞれ該中空部に連通した通気口が設けられており、一方の第１の通気口はドアの一側に配置され、他方の第２の通気口はドアの他側に配置されているドアにおいて、該第１の通気口近傍の該中空部が、第１及び第２の通気口同士を結ぶ方向と交差方向の幅が小さい第１の幅小部となっており、第２の通気口近傍の該中空部が、該交差方向の幅が小さい第２の幅小部となっており、該第１の幅小部と第２の幅小部との間が、該第１及び第２の幅小部よりも該交差方向の幅が大きい幅大部となっていることを特徴とするものである。
【０００９】
本発明では、通気口はドアの一辺に沿って延在していてもよい。
【００１０】
本発明のドアは、前記中空部を囲むドア枠の両側にそれぞれ面材を設けたものであり、該面材にそれぞれ前記通気口が設けられており、該ドア枠はドアの周縁に沿う縦桟及び横桟と、該縦桟又は横桟に沿う複数の補桟とを有しており、補桟同士が間隔をあけて配置され、該補桟同士の間に前記幅小部が形成されていてもよい。
【００１１】
前記面材のうち前記通気口近傍部分が、前記補桟と結合されていることが好ましい。
【００１２】
前記中空部内のうち、第１の通気口と第２の通気口との間の位置に、該中空部の前記交差方向の幅を小さくするバッフルが設けられていてもよい。
【００１３】
この場合、複数の前記バッフルが前記交差方向に間隔をあけて配設されていることが好ましい。
【００１４】
前記バッフルは、Ｖ字形又は放射方向に延在した３葉以上の板材を有したものであってもよい。
【発明の効果】
【００１５】
本発明のドアにあっては、正面側及び背面側の面材にそれぞれ設けられた通気口と、ドア内の中空部とを介して換気が行われる。本発明では、中空部が、通気口近傍において幅小部となっており、この幅小部同士の間が幅大部となっており、音波がこの幅小部から幅大部に入るときに、中空部の断面積が急激に拡大することによって消音作用が奏される。
【００１６】
本発明のドアにあっては、ドア枠の補桟に通気口近傍を結合して支持させることにより、通気口近傍における面材の強度及び剛性が高くなる。
【図面の簡単な説明】
【００１７】
【図１】実施の形態に係るドアの正面側の斜視図である。
【図２】実施の形態に係るドアの正面側の面材を省略した斜視図である。
【図３】実施の形態に係るドアの背面側の斜視図である。
【図４】実施の形態に係るドアの正面図である。
【図５】図４のＶ−Ｖ線拡大断面図である。
【図６】図４のVI−VI線拡大断面図である。
【図７】別の実施の形態に係るドアの正面図である。
【図８】図７のVIII−VIII線断面図である。
【図９】図７のドアの正面側の面材を省略した斜視図である。
【図１０】さらに別の実施の形態に係るドアの正面図である。
【図１１】図１０のXI−XI線拡大断面図である。
【図１２】図１０のドアの正面側の面材を省略した斜視図である。
【図１３】実施の形態に係るドアの正面側の斜視図である。
【図１４】図１３のXIV−XIV線断面図である。
【図１５】図１３のドアの正面側の面材を省略した正面図である。
【図１６】実施の形態に係るドアの正面側の面材を省略した正面図である。
【図１７】実施の形態に係るドアの正面側の面材を省略した正面図である。
【図１８】実施の形態に係るドアの正面側の面材を省略した正面図である。
【図１９】実施の形態に係るドアの正面側の面材を省略した正面図である。
【図２０】実施の形態に係るドアの正面側の面材を省略した正面図である。
【図２１】（ａ）図は実施の形態に係るドアの正面側の面材を省略した正面図、（ｂ）図は（ａ）図のXXIＢ部分の拡大図である。
【図２２】実施の形態に係るドアの正面図である。
【図２３】図２２のドアの正面側の面材を省略した斜視図である。
【図２４】実施の形態に係るドアの正面側の面材を省略した正面図である。
【図２５】実施の形態に係るドアの正面側の面材を省略した正面図である。
【図２６】実施の形態に係るドアの正面側の面材を省略した正面図である。
【図２７】実施の形態に係るドアの正面側の面材を省略した正面図である。
【図２８】実施の形態に係るドアの正面側の面材を省略した正面図である。
【図２９】実施の形態に係るドアの正面側の面材を省略した正面図である。
【図３０】実施の形態に係るドアの正面側の面材を省略した正面図である。
【図３１】実施の形態に係るドアの正面側の面材を省略した正面図である。
【図３２】実施の形態に係るドアの正面側の面材を省略した正面図である。
【図３３】実施の形態に係るドアの正面側の面材を省略した正面図である。
【図３４】図３３のバッフルの拡大正面図である。
【図３５】別の実施の形態に用いられるバッフルの拡大正面図である。
【図３６】別の実施の形態に用いられるバッフルの拡大正面図である。
【図３７】別の実施の形態に用いられるバッフルの拡大正面図である。
【図３８】異なる実施の形態に係るドアの正面図である。
【図３９】さらに異なる実施の形態に係るドアの正面図である。
【図４０】（ａ）図は別の実施の形態に係るドアの正面側の斜視図、（ｂ）図は（ａ）図の４０Ｂ−４０Ｂ線断面図である。
【図４１】実験結果を示すグラフである。
【図４２】試験体１，２の寸法図である。
【図４３】（ａ）図は試験装置１００の縦断面図（（ｂ）図の４３Ａ−４３Ａ線断面図）、（ｂ）図は（ａ）図の４３Ｂ−４３Ｂ矢視図である。
【図４４】（ａ）図は実験例に係るドアの正面側の面材を省略した正面図、（ｂ）図は（ａ）図のバッフルの寸法図である。
【図４５】（ａ）図は実験例に係るドアの正面側の面材及びドア枠を省略した正面図、（ｂ），（ｃ）図はそれぞれ（ａ）図のバッフルの寸法図である。
【図４６】（ａ）図は実験例に係るドアの正面側の面材及びドア枠を省略した正面図、（ｂ）〜（ｄ）図はそれぞれ（ａ）図のバッフルの寸法図である。
【図４７】（ａ）図は実験例に係るドアの正面側の面材及びドア枠を省略した正面図、（ｂ），（ｃ）図はそれぞれ（ａ）図のバッフルの寸法図である。
【図４８】（ａ）図は実験例に係るドアの正面側の面材及びドア枠を省略した正面図、（ｂ），（ｃ）図はそれぞれ（ａ）図のバッフルの寸法図である。
【図４９】（ａ）図は実験例に係るドアの正面側の面材及びドア枠を省略した正面図、（ｂ），（ｃ）図はそれぞれ（ａ）図のバッフルの寸法図である。
【図５０】（ａ）図は実験例に係るドアの正面側の面材及びドア枠を省略した正面図、（ｂ），（ｃ）図はそれぞれ（ａ）図のバッフルの寸法図である。
【図５１】（ａ）図は実験例に係るドアの正面側の面材及びドア枠を省略した正面図、（ｂ）図は（ａ）図のバッフルの寸法図である。
【図５２】（ａ）図は実験例に係るドアの正面側の面材及びドア枠を省略した正面図、（ｂ）図は（ａ）図のバッフルの寸法図である。
【図５３】（ａ）図は実験例に係るドアの正面側の面材及びドア枠を省略した正面図、（ｂ）図は（ａ）図のバッフルの寸法図である。
【発明を実施するための形態】
【００１８】
以下、図面を参照して実施の形態について説明する。
【００１９】
［図１〜６のドア］
図１〜６のドア１は、ドア枠１０の一方の側に正面側面材２を取り付け、他方の側に背面側面材３を取り付けたものである。
【００２０】
ドア枠１０は、図２の通り、長方形枠状であり、ドア１の縦側辺に沿う１対の第１縦桟１１，１２と、該第１縦桟１１，１２の内側に沿う第２縦桟１３，１４と、ドア１の上辺に沿う第１横桟２１と、ドア１の上下方向中間の第２横桟２２と、それぞれドア１の下辺に沿う第３横桟２３、第４横桟２４及び第５横桟２５とを有している。
【００２１】
左側の縦桟１１，１３と右側の縦桟１２，１４の上端間が横桟２１によって連結され、下端間が横桟２３，２４，２５によって連結されている。
【００２２】
縦桟１３のドア内側の側面に短尺の補桟３１〜３９が上下に間隔をあけて取り付けられている。また縦桟１４のドア内側の側面に、短尺の補桟４１，４２，４３が上下に間隔をあけて取り付けられている。この実施の形態では各補桟３１〜３９はそれぞれ２本ずつひき揃えて縦桟１３に取り付けられており、また補桟４１〜４３もそれぞれ２本ずつ引き揃えて縦桟１４に取り付けられている。
【００２３】
補桟３５と補桟４２との間に前記横桟２２が架設されている。
【００２４】
最上位の補桟３１，４１の上端面は横桟２１の下面に当接している。最下位の補桟３９，４３の下端面は横桟２３の上面に当接している。縦桟１１〜１４、横桟２１〜２５、補桟３１〜３９、４１〜４３の当接部分又は重なり合い部分はタッカー、釘、ビス、接着剤などの連結手段によって連結されている。金属材料にて縦桟、横桟及び補桟が構成されているときには、連結手段は溶接であってもよい。
【００２５】
また、１つの板材から縦桟、横桟、補桟を削り出してもよいし、樹脂、金属などを一体で成形、鋳造してもよい。
【００２６】
正面側の面材２には、通気口５０〜５７が設けられている。通気口５０は補桟３１，３２間に位置しており、以下同様に通気口５１〜５７が各補桟３２，３３間、補桟３３，３４間、補桟３４，３５間、補桟３５，３６間、補桟３６，３７間、補桟３７，３８間、補桟３８，３９間に位置している。
【００２７】
通気口５０の上下寸法は、補桟３１，３２間の上下寸法に合致し、以下同様に通気口５１〜５７の上下寸法は補桟３２，３３間、補桟３３，３４間、補桟３４，３５間、補桟３５，３６間、補桟３６，３７間、補桟３７，３８間、補桟３８，３９間の上下寸法に合致している。通気口５０の上縁は補桟３１の下縁に合致し、以下同様に通気口５１〜５７の上縁は補桟３２〜３８の下縁に合致している。通気口５０の下縁は補桟３２の上縁に合致し、以下同様に通気口５１〜５７の下縁は補桟３３〜３９の上縁に合致している。
【００２８】
通気口５０〜５７の左右幅は、補桟３１の２本分の幅よりも狭いものとなっている。通気口５０〜５７のドアサイド側の側辺は縦桟１３のドア中央側の側辺に合致している。
【００２９】
通気口５８，５９の上下寸法はそれぞれ補桟４１，４２間、補桟４２，４３間の上下寸法と合致している。通気口５８，５９の上縁は補桟４１，４２の下縁に合致している。通気口５８，５９の下縁は補桟４２，４３の上縁に合致している。通気口５８，５９の左右幅は、各補桟４１，４２，４３の２本分の幅よりも狭いものとなっている。通気口５８，５９のドアサイド側の側辺は縦桟１４のドア中央側の側辺に合致している。
【００３０】
面材２，３はドア枠１０に対して接着、ビス留めなどの固着手段によって取り付けられている。
【００３１】
このように構成されたドア１にあっては、面材２，３とドア枠１０とによって囲まれた中空部４又は５（図２）、正面側通気口５０〜５７及び背面側通気口５８，５９を介してドア１の正面側と背面側とが連通し、換気が行われる。この実施の形態では、通気口５０〜５７及び通気口５８，５９が各々ドア側辺に沿って縦一列に設けられており、通気口５０〜５７から通気口５８，５９までの距離が短い。そのため、中空部４，５を通過する通気抵抗が小さく、換気性能が良好である。
【００３２】
この実施の形態では、補桟３１，３２間、補桟３２，３３間、補桟３３，３４間、補桟３４，３５間、補桟３５，３６間、補桟３７，３８間、補桟３８，３９間が幅寸法ｄ１の幅小部となっている。また、中空部４の横桟２１，２２間が幅寸法ｄ２の幅大部となっており、中空部５の横桟２２，２３間が幅寸法ｄ３の幅大部となっている。そのため、通気口５０〜５７から中空部４又は５に入る音波は、幅寸法ｄ１の幅小部から幅寸法ｄ２又はｄ３の幅大部へ入るときに断面積が急激に拡大することによって消音が行われる。
【００３３】
補桟４１，４２間の幅小部の上下寸法ｄ４が中空部４の幅大部の上下寸法ｄ２に比べて小さく、補桟４２，４３間の幅小部の上下寸法ｄ５が中空部５の幅大部の上下寸法ｄ３に比べて小さいので、通気口５８，５９から中空部４，５へ入る音波の消音が行われる。
【００３４】
この実施の形態では、面材２，３の各通気口５０〜５９の上下両側部分がそれぞれ補桟３１〜３９，４１〜４３によって支持されているので、通気口５０〜５９近傍における面材２，３の強度及び剛性が高い。そのため、面材２，３の損傷が防止されると共に、面材２，３の振動も抑制される。
【００３５】
この実施の形態では、図示の通り、ドア１の四辺の外周をそれぞれ一直線状としており、切欠状部などを設けていないので、ドアを閉めたときにドア枠との間に生じる隙間が小さく、音が隙間から漏れることが防止される。また、該切欠状部に物が挟み込まれることもない。
【００３６】
［図７〜９のドア］
本発明では、ドア正面側及び背面側の通気口の数は図１以外であってもよい。図７〜９のドア１Ａは、正面側の通気口の数を６個とし、背面側の通気口の数を４個としたものである。正面側の通気口５０，５１間、通気口５１，５２間、通気口５４，５５間、通気口５５，５６間にそれぞれ補桟３２，３３，３６，３７が配置されている。背面側の通気口としては、上側の中空部４に連通する通気口５８Ａ，５８Ｂと、下側の中空部５に連通する通気口５９Ａ，５９Ｂとが設けられている。通気口５８Ａ，５８Ｂ間に補桟４１Ａが配置され、通気口５９Ａ，５９Ｂ間に補桟４１Ｂが配置されている。
【００３７】
このドア１Ａのその他の構成はドア１と同一であり、同一符号は同一部分を示している。このドア１Ａはドア１と同様の効果を有する。なお、通気口５８Ａ，５８Ｂの間に補桟４１Ａが配置され、通気口５９Ａ，５９Ｂの間に補桟４１Ｂが配置されており、この補桟によってドア１Ａの強度、剛性が向上している。図示は省略するが、正面側通気口及び背面側通気口の数はドア１，１Ａ以外であってもよい。
【００３８】
［図１０〜１２のドア］
図１０〜１２のドア１Ｂは、前記ドア１において補桟３１〜３４，３６〜３９をそれぞれ１本ずつ設けたものであり、各補桟３１〜３４，３６〜３９は縦桟１３から離隔して縦桟に沿って配置されている。従って、縦桟１３と補桟３１〜３４との間、及び縦桟１３と補桟３６〜３９との間には、上下に一連となった長い空間部Ｋ（図１１）が延在している。
【００３９】
なお、図１１では、補桟３１〜３４，３６〜３９が縦桟１３から離隔しているが、補桟３１，３９は縦桟１３に接触し、補桟３２〜３４，３６〜３８のみ縦桟１３から離隔していてもよい。
【００４０】
このドア１Ｂのその他の構成はドア１と同一であり、同一符号は同一部分を示している。
【００４１】
［図１３〜１５のドア］
図１３〜１５のドア１Ｃにあっては、正面側通気口５０〜５２，５４〜５６の両側に配置する補桟３１〜３３，３５〜３７，３９のドア幅方向の長さが前記各ドア１，１Ａ，１Ｂの補桟よりも大きい。各通気口５０〜５２，５４〜５６は、補桟３１〜３３，３５〜３７，３９の先端側すなわち中空部４又は５側に配置されている。これにより、各通気口５０〜５２，５４〜５６よりもドアサイド側（縦桟１３側）に空洞部６１〜６６が形成されている。空洞部６１〜６６は、１対の補桟と縦桟１３とによって３方が囲まれ、残りの一方が中空部４又は５に向って開放している。
【００４２】
空洞部６１〜６６の深さ、即ち通気口５０〜５２，５４〜５６のドアサイド側の縁部から空洞部６１〜６６の最奥部（縦桟１３）までの距離Ｅをλ／４とすることにより、波長λの音を効率よく消音することができる。
【００４３】
なお、このドア１Ｃでは、上側の中空部４に３個の正面側通気口５０〜５２と４個の背面側通気口５８ａ〜５８ｄが設けられ、下側の中空部５に３個の正面側通気口５４〜５６と４個の背面側通気口５８ｅ〜５８ｈが設けられている。通気口５８ａ，５８ｂ間、通気口５８ｂ，５８ｃ間、通気口５８ｃ，５８ｄ間にそれぞれ補桟４１ａ〜４１ｃが配置され、通気口５８ｅ，５８ｆ間、通気口５８ｆ，５８ｇ間、通気口５８ｇ，５８ｈ間にそれぞれ補桟４１ｄ〜４１ｆが配置されている。ただし、通気口の数はこれに限定されない。ドア１Ｃのその他の構成はドア１と同様であり、同一符号は同一部分を示している。
【００４４】
［図１６〜２１の各ドア］
図１６〜２１は、それぞれ空洞部を有した別構造のドア１Ｄ〜１Ｇ，１Ｇ’，１Ｈを示すものであり、正面側の面材を取り除いた状態の正面図を示している。
【００４５】
図１６のドア１Ｄにあっては、補桟から空洞部内に突出する突起７０を備えている。各突起７０は、空洞部６１〜６６の入口側の上下方向幅を狭めるように設けられている。空洞部６１〜６３にあっては、突起７０は各空洞部６１〜６３の上側の補桟３１〜３３から下方に向って突設されている。空洞部６４〜６６にあっては、突起７０は各空洞部６４〜６６の下側の補桟３６，３７，３９から上方に向って突設されている。
【００４６】
ドア１Ｄのその他の構成はドア１Ｃと同様であり、同一符号は同一部分を示している。
【００４７】
図１７のドア１Ｅは、補桟３１と横桟２１との間に空洞部６１ａを設け、補桟３４と横桟２２との間に空洞部６３ａを設け、補桟３６と横桟２２との間に空洞部６４ａを設け、補桟３９と横桟２３との間に空洞部６６ａを設けたものである。
【００４８】
即ち、ドア１Ｅでは、補桟３１は横桟２１から離隔して配置され、補桟３９は横桟２３から離隔して配置され、これらの間がそれぞれ空洞部６１ａ，６６ａとなっている。補桟３１，３５間、補桟３５，３９間にそれぞれ上下に間隔をあけて３個の補桟３２〜３４，３６〜３８が配設されており、補桟３１，３２間、補桟３２，３３間、補桟３３，３４間、補桟３６，３７間、補桟３７，３８間、補桟３８，３９間にそれぞれ通気口５０〜５２，５４〜５６が設けられると共に、これらの間の通気口５０〜５２，５４〜５６よりもドアサイド側がそれぞれ空洞部６１〜６６となっている。補桟３４，３６はそれぞれ補桟３５の上端及び下端に当接している。補桟３５の先端面は補桟３４，３６の先端面よりもドアサイド側に後退しており、この補桟３５の先端面よりも中空部４又は５側の補桟３４と横桟２２との間及び横桟２２と補桟３６との間がそれぞれ空洞部６３ａ，６４ａとなっている。ドア１Ｅのその他の構成はドア１Ｃと同様であり、同一符号は同一部分を示している。
【００４９】
空洞部６１ａ，６６ａの深さＥ１は空洞部６１〜６６の深さＥよりも大きい。空洞部６３ａ，６４ａの深さＥ２はＥ＜Ｅ２＜Ｅ１の関係を満たすものとなっている。このように空洞部６１〜６６とは深さの異なる空洞部６１ａ，６６ａ及び空洞部６３ａ，６４ａを設けたことにより、消音できる音の周波数域が広がる。
【００５０】
図１８のドア１Ｆは、図１７に示すドア１Ｅにおいて、各補桟３１〜３３，３７〜３９に突起７０を設けたものである。突起７０の設置形態は図１６のドア１Ｄと同一である。
【００５１】
図１９のドア１Ｇは、補桟３１〜３４，３６〜３９を斜めに設置し、空洞部６１〜６６の深さを大きくするように構成したものである。ドア１Ｇのその他の構成はドア１Ｅと同一であり、同一符号は同一部分を示している。
【００５２】
図２０のドア１Ｇ’は、図１９のドア１Ｇから空洞部６１ａ，６３ａ，６４ａ，６６ａを省略したものとなっている。
【００５３】
詳しくは、このドア１Ｇ’では、横桟２１，２２間、横桟２２，２３間にそれぞれ上下に間隔をあけて４個の補桟３１〜３４，３６〜３９が配設されている。補桟３１の上端は横桟２１の下面に当接しており、補桟３４の下端は横桟２２の上面に当接しており、補桟３６の上端は横桟２２の下面に当接しており、補桟３９の下端は横桟２３の上面に当接している。このドア１Ｇ’では、補桟３５は省略されており、横桟２２は縦桟１３と補桟４２との間に架設されている。補桟３１の下面及び補桟３４の上面は、それぞれ、ドアサイド側ほど上位となるように傾斜しており、補桟３２，３３は、これらの補桟３１の下面及び補桟３４の上面と略平行に斜めに設置されている。補桟３６の下面及び補桟３９の上面は、それぞれ、ドアサイド側ほど下位となるように傾斜しており、補桟３７，３８は、これらの補桟３６の下面及び補桟３９の上面と略平行に斜めに設置されている。補桟３１，３２間、補桟３２，３３間、補桟３３，３４間、補桟３６，３７間、補桟３７，３８間、補桟３８，３９間にそれぞれ通気口５０〜５２，５４〜５６が設けられると共に、これらの間の通気口５０〜５２，５４〜５６よりもドアサイド側がそれぞれ空洞部６１〜６６となっている。ドア１Ｇ’のその他の構成はドア１Ｇと同様であり、同一符号は同一部分を示している。
【００５４】
図２１のドア１Ｈは、図１７のドア１Ｅにおいて、空洞部６１ａ，６３ａ，６４ａ，６６ａにそれぞれヘルムホルツ共鳴器７２を設置したものである。ヘルムホルツ共鳴器７２は、図２１（ｂ）に拡大して示すように、横桟２１と補桟３１との間、補桟３４と横桟２２との間、横桟２２と補桟３６との間及び補桟３９と横桟２３との間（図２１（ｂ）では補桟３９と横桟２３との間のみ図示。）にそれぞれ設けられた、中空部４又は５に直接的に連通しない拡大空洞部７２ａと、各拡大空洞部７２ａとこれらに隣接する空洞部６１，６３，６４，６６とをそれぞれ連通したダクト状の頚部７２ｂとからなる。各頚部７２ｂの内径は、各拡大空洞部７２ａの左右幅よりも小さいものとなっている。この実施の形態では、各拡大空洞部７２ａは、補桟３１の先端と横桟２１との間、補桟３４の先端と横桟２２との間、補桟３６の先端と横桟２２との間及び補桟３９の先端と横桟２３との間にそれぞれ縦補桟７３を架設し、各空洞部６１ａ，６３ａ，６４ａ，６６ａの中空部４又は５側を封鎖することにより形成されているが、拡大空洞部７２ａの形成方法はこれに限定されない。この実施の形態では、各頚部７２ｂは、各補桟３１，３４，３６，３９に、これらを上下方向に貫通する貫通孔や縦溝等を設けることにより形成されているが、頚部７２ｂの形成方法はこれに限定されない。ドア１Ｈのその他の構成はドア１Ｅと同一であり、同一符号は同一部分を示している。このヘルムホルツ共鳴器７２付きドア１Ｈにあっては、各ヘルムホルツ共鳴器７２の頸部７２ｂの体積（断面積×長さ）と拡大空洞部７２ａの体積とを適宜調整し、各ヘルムホルツ共鳴器７２の共鳴周波数を、空洞部６１〜６６では消音性能の低下する周波数に合わせることにより、この共鳴周波数付近の音波が吸音され、消音性能の低下をより一層防止する効果が得られる。なお、ヘルムホルツ共鳴器以外の共鳴器をドアに設けてもよい。
【００５５】
［図２２，２３のドア］
図２２，２３のドア１Ｉは、ドア１において、中空部４，５にそれぞれ複数個のバッフル８１を設けたものである。各バッフル８１は、放射４方向に延出する４葉の板片を有した正面視形状がＸ字状の部材である。各板片は水平方向に対し４０〜５０°好ましくは約４５°の方向に延在している。各バッフル８１は面材２，３に接着等により固着されている。バッフル８１は上下に間隔をあけて１列に配列されている。中空部４内の最上位及び最下位のバッフル８１と横桟２１，２２との間に間隔があいており、中空部５内の最上位及び最下位のバッフル８１と横桟２２，２３との間にも間隔があいている。
【００５６】
このドア１Ｉのその他の構成はドア１と同一であり、同一符号は同一部分を示している。
【００５７】
このドア１Ｉにあっては、バッフル８１同士の間の間隔及び横桟２１，２２，２３と直近のバッフル８１との間隔が中空部４，５の幅大部の上下寸法ｄ２，ｄ３よりも小さいので、音波がこの小間隔部を通るときに消音効果が奏される。また、面材２，３同士がバッフル８１によって連結されるので、面材２，３の強度及び剛性が高い。
【００５８】
［図２４〜３０の各ドア］
上記ドア１Ｉでは通気口５８が各中空部４，５に１個ずつ設けられているが、図２４〜３０のドアのように複数個の通気口が設けられてもよい。
【００５９】
図２４のドア１Ｊでは、中空部４に４個の通気口５８ａ〜５８ｄが設けられ、図２５のドア１Ｋでは３個の通気口５８ａ〜５８ｃが設けられている。図２４，２５では、通気口間の補桟４１ａ，４１ｂ又は４１ａ〜４１ｃが各バッフル８１同士の間の高さに位置している。ただし、補桟の上下方向の位置はこれに限定されない。
【００６０】
上記ドア１Ｉではバッフル８１は中空部４，５にそれぞれ４個ずつ設置されているが、２個、３個又は５個以上設けられてもよい。図２５のドア１Ｋでは３個のバッフル８１が設置されている。
【００６１】
Ｘ字形のバッフルの形状や大きさは同一であってもよく、異なってもよい。上記のドア１Ｉ〜１Ｋでは各バッフルは同一形状、同一大きさであるが、図２６のドア１Ｌでは、各板片の放射方向長さの等しいバッフル８１と、各板片の放射方向長さの異なるバッフル８２とを併用しており、上下方向の中間にバッフル８１が配置され、その上下にバッフル８２が配置されている。上側のバッフル８２では放射方向長さの短い板片（以下、短片ということがある。）を上向きとし、下側のバッフル８２では短片を下向きとしているが、これらをそれぞれ逆向きとしてもよい。
【００６２】
図２７のドア１Ｍでは、バッフル８２の短片を縦桟１１，１３側に向けており、図２８のドア１Ｎではバッフル８２の短片を縦桟１２，１４側に向けている。
【００６３】
上記各ドア１Ｉ〜１Ｎでは、各バッフルの左右方向位置を同一とし、バッフルを上下方向に１列に揃えているが、各バッフルの左右方向位置を異ならせてもよい。例えば、図２９のドア１Ｐのようにジグザグ状にバッフル８１を配置してもよい。この場合も、図３０のドア１Ｑのように、各バッフルの大きさを異ならせてもよい。ドア１Ｑでは、比較的大きいバッフル８４，８５，８６を上下３段に配置し、それらの間に比較的小さいバッフル８７を配置している。バッフル８７は、バッフル８４，８５，８６よりも縦桟１２，１４側に配置している。バッフル８４，８５，８６は短片を有したものとなっているが、これに限定されない。
【００６４】
［図３１のドア］
図３１のドア１Ｒは、上下の各中空部４，５にそれぞれＸ字形の２個のバッフル８１と、逆Ｖ字形のバッフル９０と、Ｖ字形のバッフル９１とを配置したものである。バッフル８１は、前述の通り、等長の４葉の板片を有しており、各中空部４，５に上下に２個配置されている。逆Ｖ字形バッフル９０は、各中空部４，５内の上部に配置され、Ｖ字形バッフル９１は各中空部４，５内の下部に配置されている。中空部４のバッフル９０は横桟２１から離隔し、バッフル９１は横桟２２から離隔している。中空部５のバッフル９０は横桟２２から離隔し、バッフル９１は横桟２３から離隔している。
【００６５】
このドア１Ｒのその他の構成はドア１Ｉと同一であり、同一符号は同一部分を示している。
【００６６】
［図３２のドア］
図３２（ａ）のドア１Ｓでは、Ｖ字形バッフル９１を各中空部４，５内の上部に配置し、逆Ｖ字形バッフル９０を各中空部４，５内の下部に配置している。
【００６７】
図３２（ｂ）のドア１Ｔでは、バッフル９０，９１の代わりに、Ｖ字の屈曲部付近で分離した、分割２葉型のバッフル９０’，９１’を設置している。
【００６８】
ドア１Ｓ，１Ｔのその他の構成はドア１Ｒと同一であり、同一符号は同一部分を示している。
【００６９】
［図３３〜３７のドア及びバッフル］
本発明では、バッフルや補桟の角縁を丸みづけしたり、面取り状にカットした形状としてもよい。このようにすると、通気抵抗が減少し、換気性能が向上する。
【００７０】
図３３のドア１Ｕでは、バッフル８１’と各補桟３１〜３３，３５〜３７，３９，４１〜４３，４１ａ〜４１ｆの角縁を丸みづけしている。図３４はこのバッフル８１’の拡大正面図である。
【００７１】
バッフルの各板片の延在方向と直交方向の幅をＷとした場合、丸みづけした角縁部の曲率半径ｒは、１ｍｍ〜Ｗ／２ｍｍ特に２ｍｍ〜Ｗ／２ｍｍ程度（図３４参照）が好適である。
【００７２】
図３５のバッフル８１’’は角縁部を斜めにカットしたものである。
【００７３】
本発明では、図３６のように、２片のＶ字形バッフル片８８ａを近接させ、１対のバッフル片８８ａによって１個の略Ｘ字形のバッフル８８を構成してもよい。また、図３７のように、４片の直線片８９ａをスター状に配列することによって略Ｘ字状のバッフル８９を構成してもよい。
【００７４】
［図３８，３９の各ドア］
図３８，３９の各ドア１Ｖ，１ＷはＸ字状のバッフル８１の代わりに菱形のバッフル９２又は方形のバッフル９３を設けたものであり、その他の構成はドア１Ｉと同一であり、同一符号は同一部分を示している。
【００７５】
［図４０のドア］
図４０のドア１Ｘは、通気口５０〜５３、通気口５４〜５７の代わりに上下に細長い通気口９５，９６を設けたものである。このドア１Ｘのその他の構成はドア１と同一であり、同一符号は同一部分を示している。
【００７６】
［さらに別の実施の形態］
図示のバッフルを有しないドアにおいても上記いずれかのバッフルを設けてもよい。
【００７７】
上記のバッフルの形状は一例であり、その他の形状のバッフルを設けてもよい。
【００７８】
縦桟、横桟、補桟、バッフル、面材の材質は木材、合成樹脂、金属などのいずれであってもよい。バッフルは吸音性の素材にて構成されてもよい。
【００７９】
補桟の数は図示以外であってもよいことは明らかである。
【００８０】
本発明では、通気口をドアの上部と下部とに設けてもよい。
【００８１】
本発明では、中空部の内面に薄い吸音材を張ってもよい。
【００８２】
本発明のドアは、正面側をトイレルーム、居室などの室内側としてもよく、室外側としてもよいが、通気口の数が多い方の面材を室外側とした方が良い場合もある。
【００８３】
本発明では、ドアに鍵を設けると共に、鍵のロック、アンロックに連動してロック時に閉、アンロック時に開となるシャッタを通気口に設けるようにしてもよい。
【実施例】
【００８４】
図４２に示す試験体１，２を用いて、本発明の効果を実証するための実験を行った。なお、図４２（ａ），（ｂ）は試験体１，２の平面図、同（ｃ），（ｄ）は試験体１，２の断面図である。
【００８５】
［実験１（消音試験１）］
消音用空洞部を設けた図４２（ａ），（ｃ）に示す試験体１と、消音用空洞部を有しないこと以外は試験体１と同一構造の図４２（ｂ），（ｄ）に示す試験体２とについて音響透過損失を測定した。結果を図４１に示す。図４１の通り、消音用空洞部を有する試験体１は消音用空洞部の深さ（１２０ｍｍ）の１／４波長及び３／４波長において消音特性に優れる。
【００８６】
［実験２（通気量測定試験）］
図２４，２７，３１に示すドアの中空部４に対し通風を行い、通気量を測定した。中空部４の高さ（横桟２１，２２間距離）は９１８ｍｍ、幅（補桟３１〜３５と補桟４１，４１ａ，４１ｂ，４２との間の距離）は１６７ｍｍ、厚さ（面材２，３間距離）は２６ｍｍである。
【００８７】
Ｘ字状バッフル８１の最大長さ（左上端から右下端までの長さ）は２３１ｍｍである。Ｖ字形バッフル９０，９１の一辺の長さ（Ｖ字の頂点から先端までの長さ）は１００ｍｍである。
【００８８】
結果を表１に示す。なお、表１でＲ加工なしとは補桟及びバッフルの角縁を直角としたもの、Ｒ加工ありとは図３４の通り丸みづけしたもの、Ｃカットとは図３５の通り斜めにカットしたものである。
【００８９】
【表１】
2014025336.tif 000003
【００９０】
表１の通り、Ｒ加工又はＣカットを施すことにより通気性能（換気性能）が向上する。なお、有効開口面積は、ドアの通気方向上流側と下流側との圧力差が９．８Ｐａのときに通気口５０〜５２、中空部４及び通気口５８ａ〜５８ｃをこの順に又はこれとは逆向きに通過する風量（単位：ｍ３／ｈｒ）に０．７を乗じて求めた。
【００９１】
［実験３（消音試験２）］
図４３に示す試験装置１００を用いて本発明のドアの消音性能を検証した。
【００９２】
＜試験装置１００＞
試験装置１００は、四方に壁１０２ａ〜１０２ｄが立設され、上方を天井１０２ｅによって塞がれており、正面側の壁１０２ａに出入口１０２ｆが設けられた室１０１と、該室１０１内に設置されたスピーカ１０３と、室１０１外に設置されたマイク１０４等を備えている。室１０１は、一般的な戸建て住宅に設けられるトイレルームと同様の仕様となっており、地面Ｇｒから室内の床面までの高さＦａは１７０ｍｍ、室内の天井高さＨａは２１００ｍｍ、左右幅Ｗａは８５０ｍｍ、奥行きＤａは１２５０ｍｍである。出入口１０２ｆの高さＨｂは２０００ｍｍ、左右幅Ｗｂは６００ｍｍである。出入口１０２ｆの左右方向の中央は、室内の左右方向の中央と合致している。
【００９３】
この出入口１０２ｆに、実施例１〜１０に係るドア２００，２００Ａ〜２００Ｉ（図４４〜５３）及び比較例１に係るドア（図示略）をそれぞれ開閉可能に設置した。
【００９４】
スピーカ１０３は、室１０１内の奥側の壁１０２ｂに沿って、室１０１の床面から４００ｍｍの高さ（一般的な洋風便器の座面とほぼ同じ高さ）に配置した。マイク１０４は、閉じた状態のドアの室外側の面の左右方向の中央からこの面と直交方向（水平方向）に１ｍ離隔して、地面Ｇｒから１．２ｍの高さに配置した。
【００９５】
［実施例１〜１０］
図４４〜５３を参照して、実施例１〜１０に係るドア２００，２００Ａ〜２００Ｉの構成について説明する。図４４〜５３は、それぞれ、ドア２００，２００Ａ〜２００Ｉの正面側の面材を省略した正面図である。なお、図４４〜５３では、ドア２００，２００Ａ〜２００Ｈの下半側は省略されている。また、図４５〜５３では、ドア枠も省略されている。
【００９６】
＜実施例１に係るドア２００＞
図４４のドア２００の基本的な構成は、図２５のドア１Ｋと同様となっている。即ち、このドア２００では、ドア１Ｋと同様に、中空部４に、３個の正面側通気口５０〜５２と、３個の背面側通気口５８ａ〜５８ｃとが設けられ、それらの間の幅大部内に３個のＸ字形のバッフル８１が設けられている。また、詳しい図示は省略するが、中空部５にも、３個の正面側通気口５４〜５６と、３個の背面側通気口５８ｅ〜５８ｇとが設けられ、それらの間の幅大部内に３個のＸ字形のバッフル８１が設けられている。図４４において、ドア１Ｋと同一符号は同一部分を示している。各正面側通気口５０〜５２，５４〜５６の上下幅は１６７ｍｍであり、左右幅は５０ｍｍである。各背面側通気口５８ａ〜５８ｃ，５８ｅ〜５８ｇの上下幅は１６７ｍｍであり、左右幅は５０ｍｍである。横桟２１の下面から補桟３１の下端までの距離は１７８ｍｍであり、補桟３２，３３の上下幅はそれぞれ３０ｍｍであり、補桟３５の上端から横桟２２の上面までの距離は１７８ｍｍである。横桟２２の下面から補桟３５の下端までの距離は１７８ｍｍであり、補桟３６，３７の上下幅はそれぞれ３０ｍｍであり、補桟３９の上端から横桟２３の上面までの距離は１７８ｍｍである。横桟２１の下面から補桟４１の下端までの距離は１７８ｍｍであり、補桟４１ａ，４１ｂの上下幅はそれぞれ３０ｍｍであり、補桟４２の上端から横桟２２の上面までの距離は１７８ｍｍである。横桟２２の下面から補桟４２の下端までの距離は１７８ｍｍであり、補桟４１ｄ，４１ｅの上下幅はそれぞれ３０ｍｍであり、補桟４３の上端から横桟２３の上面までの距離は１７８ｍｍである。これ以外の主要各部の寸法（単位：ｍｍ。図４５〜５３でも同様。）は、図４４（ａ），（ｂ）に記載の通りである。
【００９７】
ドア２００のドア枠を構成する縦桟及び横桟並びに各補桟は、幅（各々の長手方向と直交方向且つ面材の延在方向と平行方向の寸法）が３０ｍｍであり、厚さ（各々の長手方向及び幅方向の双方と直交する方向の寸法）が２６ｍｍの角棒状のポプラ製ＬＶＬ（Laminated Veneer Lumber：単板積層材）よりなり、正面側及び背面側の各面材は、厚さ４ｍｍのシート貼りＭＤＦ（Medium Density Fiberboard：中質繊維板）の表面に防水シートを積層した板材よりなり、バッフル８１は、幅２１ｍｍ、厚さ２６ｍｍの角棒状のポプラ製ＬＶＬよりなり、これらをアルミ製タッカー及び／又は接着剤（コニシ株式会社製ＣＸ５０）により接合してドア２００を構築した。
【００９８】
＜実施例２に係るドア２００Ａ＞
図４５のドア２００Ａでは、中空部４，５の幅大部内に、それぞれ、ドア２００のバッフル８１よりも小さいＸ字形のバッフル８１ａが上下３段に配設され、それらの間に該バッフル８１ａよりも小さいＸ字形のバッフル８１ｂが１個ずつ配置されている。バッフル８１ａは、中心部（板片同士が交わる部分）が中空部４，５の左右方向の中間付近に位置するように配設され、バッフル８１ｂは、バッフル８１ａよりも縦桟１２，１４側に配置されている。このドア２００Ａのその他の構成はドア２００と同一であり、同一符号は同一部分を示している。図４５において、二点鎖線Ｌ１は、補桟３１〜３３，３５の先端面（中空部４，５側の面）同士を結ぶ線分を示し、二点鎖線Ｌ２は、補桟４１，４１ａ，４１ｂ，４２の先端面同士を結ぶ線分を示し、二点鎖線Ｌ３は横桟２１の下面を示し、二点鎖線Ｌ４は横桟２２の上面を示している。図４５に示した以外のドア２００Ａの主要各部の寸法並びに各部の構成材料も、ドア２００と同一である。
【００９９】
＜実施例３に係るドア２００Ｂ＞
図４６のドア２００Ｂでは、中空部４，５の幅大部内に、１葉の板片の放射方向長さが他の３葉の板片の放射方向長さよりも長いＸ字形バッフル８１ｃ（図３０のバッフル８４と同様の形状のもの）と、隣り合う２葉の板片の放射方向長さが他の２葉の板片の放射方向長さよりも長いＸ字形バッフル８１ｄ（図２６のバッフル８２と同様の形状のもの）と、各板片の放射方向長さが同等であり、比較的小さいＸ字形バッフル８１ｂ（ドア２００Ａで用いられたものと同一形状のもの）とが併設されている。中空部４，５内には、それぞれ、バッフル８１ｃ、バッフル８１ｂ、バッフル８１ｄ、バッフル８１ｂ及びバッフル８１ｃが上からこの順に配置されている。各中空部４，５内の最上段のバッフル８１ｃは、放射方向長さの長い板片（以下、長片ということがある。）を縦桟１１，１３側且つ下側に向けて配置され、中段のバッフル８１ｄは、双方の長片を縦桟１１，１３側に向けて配置され、最下段のバッフル８１ｃは、長片を縦桟１１，１３側且つ上側に向けて配置されている。バッフル８１ｃ，８１ｄは、それぞれ、中心部が中空部４，５の左右方向の中間付近に位置するように配設され、バッフル８１ｂは、バッフル８１ｃ，８１ｄよりも縦桟１２，１４側に配置されている。このドア２００Ｂのその他の構成はドア２００と同一であり、同一符号は同一部分を示している。図４６に示した以外のドア２００Ｂの主要各部の寸法並びに各部の構成材料も、ドア２００と同一である。
【０１００】
＜実施例４に係るドア２００Ｃ＞
図４７のドア２００Ｃでは、中空部４，５の幅大部内に、それぞれ、各板片の放射方向長さが同等であり、ドア２００のバッフル８１よりも大きい１個のＸ字形のバッフル８１ｅと、ドア２００Ｂで用いられたものと同一形状の２個のＸ字形バッフル８１ｄとが上下３段に配設されている。各中空部４，５内の上下方向の中央にバッフル８１ｅが配置され、その上方及び下方にそれぞれバッフル８１ｄが配置されている。各中空部４，５内の上段のバッフル８１ｄは、双方の長片を下側に向けて配置され、下段のバッフル８１ｄは、双方の長片を上側に向けて配置されている。このドア２００Ｃのその他の構成はドア２００と同一であり、同一符号は同一部分を示している。図４７に示した以外のドア２００Ｃの主要各部の寸法並びに各部の構成材料も、ドア２００と同一である。
【０１０１】
＜実施例５に係るドア２００Ｄ＞
図４８のドア２００Ｄでは、中空部４，５の幅大部内に、それぞれ、ドア２００で用いたものと同一形状の１個のＸ字形バッフル８１と、ドア２００Ｃで用いられたものと同一形状の２個のＸ字形バッフル８１ｅとが上下３段に配設されている。各中空部４，５内の上下方向の中央にバッフル８１が配置され、その上方及び下方にそれぞれバッフル８１ｅが配置されている。このドア２００Ｄのその他の構成はドア２００と同一であり、同一符号は同一部分を示している。図４８に示した以外のドア２００Ｄの主要各部の寸法並びに各部の構成材料も、ドア２００と同一である。
【０１０２】
＜実施例６に係るドア２００Ｅ＞
図４９のドア２００Ｅでは、中空部４，５の幅大部内に、それぞれ、隣り合う２葉の板片の放射方向長さが他の２葉の板片の放射方向長さよりも長く、全体としてドア２００Ｂのバッフル８１ｄよりも小さい２個のＸ字形バッフル８１ｆと、ドア２００で用いられたものと同一形状の２個のＸ字形バッフル８１とが上下４段に配設されている。中空部４，５内には、それぞれ、バッフル８１ｆ、バッフル８１、バッフル８１及びバッフル８１ｆが上からこの順に配置されている。各中空部４，５内の最上段のバッフル８１ｆは、双方の長片を下側に向けて配置され、最下段のバッフル８１ｆは、双方の長片を上側に向けて配置されている。このドア２００Ｅのその他の構成はドア２００と同一であり、同一符号は同一部分を示している。図４９に示した以外のドア２００Ｅの主要各部の寸法並びに各部の構成材料も、ドア２００と同一である。
【０１０３】
＜実施例７に係るドア２００Ｆ＞
図５０のドア２００Ｆでは、中空部４，５の幅大部内に、それぞれ、ドア２００Ｃで用いられたものと同一形状の２個のＸ字形バッフル８１ｅと、１個の逆Ｖ字形のバッフル９０と、１個のＶ字形のバッフル９１とが上下４段に配設されている。逆Ｖ字形のバッフル９０及びＶ字形のバッフル９１は、それぞれ、図３１のドア１Ｒで用いられたものと同様のものである。中空部４，５内には、それぞれ、バッフル９０、バッフル８１ｅ、バッフル８１ｅ及びバッフル９１が上からこの順に配置されている。このドア２００Ｆのその他の構成はドア２００と同一であり、同一符号は同一部分を示している。図５０に示した以外のドア２００Ｆの主要各部の寸法並びに各部の構成材料も、ドア２００と同一である。
【０１０４】
＜実施例８に係るドア２００Ｇ＞
図５１のドア２００Ｇでは、中空部４，５の幅大部内に、それぞれ、ドア２００Ｂで用いられたものと同一形状の３個のＸ字形バッフル８１ｄが上下３段に配設されている。各バッフル８１ｄは、それぞれ、双方の長片を縦桟１１，１３側に向けて配置されている。このドア２００Ｇのその他の構成はドア２００と同一であり、同一符号は同一部分を示している。図５１に示した以外のドア２００Ｇの主要各部の寸法並びに各部の構成材料も、ドア２００と同一である。
【０１０５】
＜実施例９に係るドア２００Ｈ＞
図５２のドア２００Ｈでは、中空部４，５の幅大部内に、それぞれ、ドア２００で用いられたものと同一形状の４個のＸ字形バッフル８１が上下４段に配設されている。このドア２００Ｈのその他の構成はドア２００と同一であり、同一符号は同一部分を示している。図５２に示した以外のドア２００Ｈの主要各部の寸法並びに各部の構成材料も、ドア２００と同一である。
【０１０６】
＜実施例１０に係るドア２００Ｉ＞
図５３のドア２００Ｉでは、中空部４，５の幅大部内に、それぞれ、横向きＶ字形バッフル９２が５個ジグザグ状に配設されている。詳しくは、中空部４，５内において、該中空部４，５の左右方向の中間付近から縦桟１１，１３側に３個のバッフル９２が上下３段に配置され、それらよりも縦桟１２，１４側に２個のバッフル９２が上下２段に配置されている。縦桟１２，１４側の各バッフル９２は、縦桟１１，１３側の上段のバッフル９２と中段のバッフル９２との中間付近、並びに、縦桟１１，１３側の中段のバッフル９２と下段のバッフル９２との中間付近にそれぞれ配置されている。縦桟１１，１３側の中段のバッフル９２は、縦桟１１，１３側の上段及び下段の各バッフル９２よりも若干縦桟１１，１３側に配置されている。各バッフル９２は、Ｖ字の屈曲部を縦桟１２，１４側に向けて配設されている。このドア２００Ｉのその他の構成はドア２００と同一であり、同一符号は同一部分を示している。図５３に示した以外のドア２００Ｉの主要各部の寸法並びに各部の構成材料も、ドア２００と同一である。
【０１０７】
［比較例１］
比較例１として、ドアを閉めたときにドア下端と室１０１内の床面との間に１３ｍｍの隙間が空くようにアンダーカットが設けられた普及品のドアを用いた。
【０１０８】
＜試験方法＞
実施例１〜１０及び比較例１に係るドア毎に、ドアを閉めた状態及びドアを開けた状態において、それぞれ、スピーカ１０３から、予め録音しておいたトイレ排水音を実際と同等の音量で流し、室１０１外における最大騒音レベル（Ｌａｍａｘ）と等価騒音レベル（Ｌａｅｐ）とをマイク１０４により測定した。
【０１０９】
実施例１〜１０及び比較例１に係る各ドアについて、ドアを開けた状態における最大騒音レベルとドアを閉めた状態における最大騒音レベルとの差（以下、単に最大騒音レベル差という。）、並びに、ドアを開けた状態における等価騒音レベルとドアを閉めた状態における等価騒音レベルとの差（以下、単に等価騒音レベル差という。）を算出した。結果を表２，３に示す。
【０１１０】
【表２】
2014025336.tif 000004
【０１１１】
【表３】
2014025336.tif 000005
【０１１２】
表２，３の通り、ドア内部に中空部を設け、ドアの正面側及び背面側の各面材にそれぞれ該中空部に連通した正面側通気口及び背面側通気口を設け、該正面側通気口と背面側通気口とを互いに反対のドアサイド側に配置し、該正面側通気口近傍及び背面側通気口近傍の中空部を、上下幅の小さい幅小部とし、それらの間の中空部を、上下幅の大きい幅大部とし、該幅大部内にバッフルを設けた実施例１〜１０のドアにより、高い消音効果が発揮される。特に、逆Ｖ字形及びＶ字形のバッフル９０，９１と２個のＸ字形バッフル８１ｅとを併設した実施例７、同一形状の４個のＸ字形バッフル８１を上下４段に均等に配設した実施例９、並びに５個の横向きＶ字形バッフル９２をジグザグ状に配設した実施例１０では、より高い消音効果が発揮された。
【符号の説明】
【０１１３】
１，１Ａ〜１Ｎ，１Ｐ〜１Ｘ，２００，２００Ａ〜２００Ｉ  ドア
２，３  面材
４，５  中空部
１０  ドア枠
１１〜１４  縦桟
２１〜２５  横桟
３１〜３９，４１〜４３  補桟
５０〜５９，５８Ａ，５８Ｂ，５９Ａ，５９Ｂ，５８ａ〜５８ｈ  通気口
８１，８１’，８１’’，８１ａ〜８１ｆ，８２，８４〜９２，９０’，９１’  バッフル
９５，９６  通気口
１００  試験装置
１０１  室
１０２ａ〜１０２ｄ  壁
１０２ｅ  天井
１０２ｆ  出入口
１０３  スピーカ
１０４  マイク
【図１】
2014025336.tif 000006
【図２】
2014025336.tif 000007
【図３】
2014025336.tif 000008
【図４】
2014025336.tif 000009
【図５】
2014025336.tif 000010
【図６】
2014025336.tif 000011
【図７】
2014025336.tif 000012
【図８】
2014025336.tif 000013
【図９】
2014025336.tif 000014
【図１０】
2014025336.tif 000015
【図１１】
2014025336.tif 000016
【図１２】
2014025336.tif 000017
【図１３】
2014025336.tif 000018
【図１４】
2014025336.tif 000019
【図１５】
2014025336.tif 000020
【図１６】
2014025336.tif 000021
【図１７】
2014025336.tif 000022
【図１８】
2014025336.tif 000023
【図１９】
2014025336.tif 000024
【図２０】
2014025336.tif 000025
【図２１】
2014025336.tif 000026
【図２２】
2014025336.tif 000027
【図２３】
2014025336.tif 000028
【図２４】
2014025336.tif 000029
【図２５】
2014025336.tif 000030
【図２６】
2014025336.tif 000031
【図２７】
2014025336.tif 000032
【図２８】
2014025336.tif 000033
【図２９】
2014025336.tif 000034
【図３０】
2014025336.tif 000035
【図３１】
2014025336.tif 000036
【図３２】
2014025336.tif 000037
【図３３】
2014025336.tif 000038
【図３４】
2014025336.tif 000039
【図３５】
2014025336.tif 000040
【図３６】
2014025336.tif 000041
【図３７】
2014025336.tif 000042
【図３８】
2014025336.tif 000043
【図３９】
2014025336.tif 000044
【図４０】
2014025336.tif 000045
【図４１】
2014025336.tif 000046
【図４２】
2014025336.tif 000047
【図４３】
2014025336.tif 000048
【図４４】
2014025336.tif 000049
【図４５】
2014025336.tif 000050
【図４６】
2014025336.tif 000051
【図４７】
2014025336.tif 000052
【図４８】
2014025336.tif 000053
【図４９】
2014025336.tif 000054
【図５０】
2014025336.tif 000055
【図５１】
2014025336.tif 000056
【図５２】
2014025336.tif 000057
【図５３】
2014025336.tif 000058